(57)【要約】【課題】小型化を図ると共に、回路基板の保護を強化する携帯端末機器を提供すること。【解決手段】携帯端末機器は、電子部品を搭載した回路基板と、回路基板を保護するカバーと、回路基板及びカバーを収容する筐体と、を有する。カバーは、回路基板の少なくとも一方の基板面及び両側の側面の少なくとも一部を覆っている。好ましくは、カバーは、回路基板の少なくとも一方の基板面に沿って配設される板状体と、板状体に立設され、他方の基板面に向かって回路基板の側面に沿って配設される立壁と、を有する。【選択図】図３
2007199930.tif 000002
【特許請求の範囲】
【請求項１】
電子部品を搭載した回路基板と、回路基板を保護するカバーと、前記回路基板及び前記カバーを収容する筐体と、を有し、
前記カバーは、前記回路基板の少なくとも一方の基板面及び両側の側面の少なくとも一部を覆っていることを特徴とする携帯端末機器。
【請求項２】
前記カバーの少なくとも一部は、前記回路基板を跨いでいることを特徴とする請求項１に記載の携帯端末機器。
【請求項３】
前記カバーは、前記回路基板の基板面の両面及び両側の側面を覆っていることを特徴とする請求項１に記載の携帯端末機器。
【請求項４】
前記カバーは、前記回路基板の前記少なくとも一方の基板面に沿って配設される板状体と、前記板状体に立設され、他方の基板面に向かって前記回路基板の側面に沿って配設される立壁と、を有することを特徴とする請求項１〜３のいずれか一項に記載の携帯端末機器。
【請求項５】
少なくとも２つの前記カバーが、前記立壁を向かい合わせにして組み合わされることを特徴とする請求項４に記載の携帯端末機器。
【請求項６】
少なくとも２つの前記カバーが、前記立壁を互いに嵌合して組み合わされることを特徴とする請求項５に記載の携帯端末機器。
【請求項７】
前記カバーは、管状体であることを特徴とする請求項３又は４に記載の携帯端末機器。
【請求項８】
前記回路基板は、前記カバーに圧嵌保持されていることを特徴とする請求項１〜７のいずれか一項に記載の携帯端末機器。
【請求項９】
前記カバーは、前記立壁の端部又は前記板状体が前記筐体に当接して押圧保持されていることを特徴とする請求項４〜８のいずれか一項に記載の携帯端末機器。
【請求項１０】
前記回路基板は、側面に凸部を有し、
前記カバーは、前記凸部と嵌合する凹部を前記立壁に有することを特徴とする請求項４〜９のいずれか一項に記載の携帯端末機器。
【請求項１１】
前記カバーは、前記回路基板との間隔を保持するためのスペーサをさらに有することを特徴とする請求項１〜１０のいずれか一項に記載の携帯端末機器。
【請求項１２】
前記カバーは、前記回路基板のグランドと電気的に接続していることを特徴とする請求項１〜１１のいずれか一項に記載の携帯端末機器。
【発明の詳細な説明】
【技術分野】
【０００１】
本発明は、携帯電話等の携帯端末機器に関する。詳細には、本発明は、回路基板の保護を強化した携帯端末機器に関する。
【背景技術】
【０００２】
図１に、携帯端末機器の斜視図を示し、図１０に、図１のＡ−Ａ断面図を示す。図１０は、従来の携帯端末機器２１の概略断面図である。携帯端末機器２１は、内部保護と意匠を目的とする第１筐体２２と第２筐体３０、キー２３、キー台座２４、キー操作による信号を伝達するメタルドーム２５、メタルドーム２５を固定するための粘着剤付シート２６、電気信号を伝送するためのフレキシブル基板２７、メモリ等の電子部品３３を搭載した回路基板２９、回路基板２９を保護するカバー２８、電池３１、及び電池カバー３２を有する。
【０００３】
図１０に示す従来の形態においては、カバー２８は、両側が折り曲がった板状体であり、断面がコの字状になっている。カバー２８は、回路基板２９上に配置されており、カバー２８の立壁２８ａの側端は、回路基板２９に当接している。カバー２８と回路基板２９は、キー２３、キー台座２４、フレキシブル基板２７等と共に、第１筐体２２と第２筐体３０とを組み合わせて保持されている。例えば、特許文献１に記載の携帯端末においては、補強板電磁波シールドは、側端がプリント基板に当接するように配置されている。
【０００４】
【特許文献１】特開２０００−１５１１３２号公報
【発明の開示】
【発明が解決しようとする課題】
【０００５】
図１１に図１０の右部分の拡大図を示す。図１０に示すような、カバー２８を回路基板２９上に配置する構成においては、外部からの衝撃により、カバー２８にがたつきが生じやすい。カバー２８のがたつきは、カバー２８の立壁２８ａに隣接している回路基板２９上の電子部品３３を破損することがある。そのため、電子部品３３の破損を防止するために、カバー２８の立壁２８ａと電子部品３３間の距離ｄ２を大きくとる必要がある。例えば、従来の携帯端末機器２１においては、距離ｄ２は１．２ｍｍ〜１．５ｍｍとられている。さらに、回路基板２９上にカバー２８を配置するためには、カバー２８を支持するためのスペース（距離ｄ３）が回路基板２９の外縁に必要となる。したがって、カバー２８を回路基板２９上に配置する構成においては、回路基板３０の周縁のスペースによって、携帯端末機器の小型化が損なわれている。
【０００６】
また、カバー２８の立壁２８ａの端部は、回路基板２９上に直接当接している。そのため、筐体２２、３０の外部からの衝撃受けると、その衝撃が回路基板２９に伝達して、回路基板２９自体が破損するおそれがある。このため、第１筐体２２と第２筐体３０は、外部からの衝撃に対する強度を確保するため、立壁２２ａ、３０ａの厚さｔ３を厚くする必要もある。例えば、従来の携帯端末機器２１においては、厚さｔ３は約２．５ｍｍである。すなわち、第１筐体２２及び第２筐体３０の立壁２２ａ、３０ａの厚さによっても携帯端末機器の小型化が損なわれている。
【課題を解決するための手段】
【０００７】
本発明の基本形態によれば、電子部品を搭載した回路基板と、回路基板を保護するカバーと、回路基板及びカバーを収容する筐体と、を有し、カバーは、回路基板の少なくとも一方の基板面及び両側の側面の少なくとも一部を覆っている携帯端末機器を提供する。
【０００８】
上記基本形態の好ましい形態によれば、カバーの少なくとも一部は、回路基板を跨いでいる。別の好ましい形態によれば、カバーは、回路基板の基板面の両面及び両側の側面を覆っている。
【０００９】
上記基本形態の好ましい形態によれば、カバーは、回路基板の少なくとも一方の基板面に沿って配設される板状体と、板状体に立設され、他方の基板面に向かって回路基板の側面に沿って配設される立壁と、を有する。
【００１０】
上記基本形態の好ましい形態によれば、少なくとも２つのカバーが、立壁を向かい合わせにして組み合わされる。さらに好ましい形態によれば、少なくとも２つのカバーが、立壁を互いに嵌合して組み合わされる。別の好ましい形態によれば、カバーは、管状体である。
【００１１】
上記基本形態の好ましい形態によれば、回路基板は、カバーに圧嵌保持されている。別の好ましい形態によれば、カバーは、立壁の端部又は板状体が筐体に当接して押圧保持されている。別の好ましい形態によれば、回路基板は、側面に凸部を有し、カバーは、凸部と嵌合する凹部を立壁に有する。別の好ましい形態によれば、カバーは、回路基板との間隔を保持するためのスペーサをさらに有する。別の好ましい形態によれば、カバーは、回路基板のグランドと電気的に接続している。
【発明の効果】
【００１２】
本発明によれば、カバーが回路基板上に配置されないので、カバーが電子部品や回路基板を破損することを防止することができる。これにより、回路基板上の電子部品とカバーの立壁との距離を短くすることができる。さらに、カバーの立壁を支持するための回路基板のスペースを削減することができる。したがって、回路基板の幅を縮小することができ、これにより携帯端末機器を小型化することができる。また、本発明によれば、筐体に作用する外力をカバーが受けることができる。このため、筐体の厚さを薄くすることができ、これによっても携帯端末機器を小型化することができる。
【発明を実施するための最良の形態】
【００１３】
図１に示す携帯端末機器のボタン側（下部側）の内部構造を示す分解概略図を図２に示す。また、図１に示す携帯端末機器のＡ−Ａ断面図であり、本発明の第１実施形態に係る概略断面図を図３に示す。本発明の携帯端末機器１の下部側は、第１筐体２、キー３、キー台座４、メタルドーム５を備える粘着剤付シート６、フレキシブル基板７、カバー８、回路基板９、第２筐体１０、電池１１、及び電池カバー１２を有する。回路基板９は、カバー８に覆われている。カバー８上には、フレキシブル基板７、キー台座４、キー３等が配置されている。カバー８及びカバー８上のキー３等は、第１筐体２と第２筐体１０とを組み合わせることにより、固定されている。回路基板９とフレキシブル基板７とは、コネクタ等（不図示）で接続されている。
【００１４】
本発明において、カバーとは、回路基板を保護するために、回路基板の少なくとも一方の基板面と両側の側面の少なくとも一部を覆うためのものである。カバーは、所望の強度を有するものであればいずれの材質を使用してもよい。カバーの材質は、好ましくは金属であるが、樹脂、セラミックスであってもよい。カバーを金属以外の材質で形成する場合は、回路基板を静電気から保護するために、カバーの表面にはめっきを施すことが好ましい。カバーの厚さは、カバーが占めるスペースと強度を考慮して適宜設定し、好ましくは０．２ｍｍ〜０．４ｍｍ、より好ましくは０．２５ｍｍ〜０．３５ｍｍである。
【００１５】
図４に、カバー８の斜視図を示す。図４は、図２に示すカバー８を裏側から見た図であり、図３に示す実施形態に適用可能なカバーを示している。図５に、図３に示す概略断面図の右端部分の拡大図を示す。図４に示すカバー８は、回路基板９の一方の基板面に沿って配設される板状体８ｄと、板状体８ｄに立設され、他方の基板面に向かって回路基板９の側面に沿って配設される立壁８ａとを有する。カバー８の形状は、板状体の周縁（両側）を折り曲げたような形状を有しており、図３に示すように断面がコの字状となっている。図３に示す実施形態においては、カバー８の板状体８ｄと立壁８ａとが回路基板９を跨ぐことによって、回路基板９の上面と回路基板９両側の側面（外側）を覆っている。回路基板９は、カバー８内に配されることになり、好ましくは回路基板９の少なくとも一部の側面が立壁に当接して、カバー８に圧嵌保持される。カバー８の立壁８ａの端部８ｂは、第２筐体１０の内面に当接しており、カバー８は第１筐体２と第２筐体１０によって押圧保持されている。
【００１６】
図２に示すように、カバー８の立壁８ａの一部８ｃは、回路基板９上に位置している。図２に示す形態においては、回路基板９の両側には凸部９ａが形成されている。この凸部９ａは、基板面方向からカバー８を回路基板９に被せる際に、カバー８の立壁８ａの凹部８ｃに嵌合される。これにより、回路基板９に対するカバー８の位置を定めると同時にカバー８の位置ずれを防止している。
【００１７】
回路基板９の凸部９ａと立壁８ａの凹部８ｃの係合は、立壁８ａをスペーサとしての機能させることもできる。これにより、回路基板９に搭載された電子部品１３とカバー８の板状体８ｄが接触しないように間隙を介在させることができる。また、凸部９ａと凹部８ｃの係合が無くても、立壁８ｅを回路基板９に当接させることによって、立壁８ｅをスペーサとして機能させることもできる。また、立壁８ａ、８ｅをスペーサとして機能させなくても、回路基板９の両面及び／又は第２筐体上にスペーサ（不図示）を設けることにより、電子部品１３とカバー８及び第２筐体１０との接触を防止することもできる。
【００１８】
この構成によれば、携帯端末機器１が受けた衝撃によりカバー８ががたついたとしても、回路基板９上の電子部品１３を破損させることはない。したがって、回路基板上にカバーを配置する構成と比べて、回路基板９の外縁に位置する電子部品１３とカバー８の立壁８ａとの距離ｄ１を短くすることができる。距離ｄ１は、対象機器にもよるが、例えば携帯電話機の場合、０．５ｍｍ〜０．７ｍｍにすることができる。さらに、この構成によれば、カバー８の立壁８ａを支持するための回路基板周縁のスペース（図１１に示す距離ｄ３）を削減することができる。これにより、図１０及び図１１に示す距離ｄ２＋ｄ３を図５に示すｄ１（なお、ｄ１＜ｄ２）に縮小することができる。これにより、例えば、従来の携帯端末機器において４０ｍｍ程度であった回路基板の幅を３８ｍｍ程度に縮小することができる。これに伴い、携帯端末機器の幅も約２ｍｍ縮小することができる。
【００１９】
さらに、この構成によれば、筐体２、１０が受けた衝撃をカバー８が受けることができるので、回路基板９が破損することを防止することができる。したがって、回路基板上にカバーを配置する構成と比べて、筐体２、１０の立壁部分の厚さｔ１を薄くすることができる。厚さｔ１は、対象機器にもよるが、例えば携帯電話機の場合、１．４ｍｍ〜１．５ｍｍにすることができる。
【００２０】
図６に、図１に示す携帯端末機器のＡ−Ａ断面図であり、本発明の第２実施形態に係る概略断面図を示す。図７に、図６に示す概略断面図の右側部分の拡大図を示す。この構成においては、２つのカバー８、１４は、立壁８ａ、１４ａを向かい合わせに組み合わされて、回路基板９の両側側面及び上下両基板面を覆っている。図６に示す形態においては、立壁８ａと立壁１４ａが重なるように、上側のカバー８を下側のカバー１４に嵌め込んでいるが、２つのカバーの位置関係はこの形態に限定されない。例えば、下側のカバーを上側のカバーに嵌め込む形態にすることもできれば、同じ幅のカバーを互い違いに組み合わせる形態にすることもできる。
【００２１】
図６及び図７に示す第２実施形態においては、カバー１４の板状体が第２筐体１０に当接し、カバー１４の内面にカバー８の立壁８ａの端部が当接している。カバー８、１４は、第１筐体２及び第２筐体１０によって押圧保持されている。電子部品１３とカバー８、１４との間の間隙は、第１実施形態と同様にして形成することができる。
【００２２】
この構成によれば、回路基板９の第２筐体１０側にカバー１４を設けることにより、回路基板９と電池１１との間にある第２筐体１０部分の厚さｔ２を薄くすることができる。特に、第２筐体１０の該部分の厚さを削減する大きさを下側のカバー１４の厚さより大きくすることにより、携帯端末機器全体を薄型化することができる。さらに、立壁が二重になることにより、カバー８、１４の強度が向上する。
【００２３】
本発明の携帯端末機器に係るカバーの別の形態を図８に示す。図８（ａ）に示す形態におけるカバー８は、管状のカバーであり、１つの部材で形成されている。カバー８は、回路基板９の一方の基板面に沿って配設される２つの板状体８ｄと、板状体８ｄに立設され、回路基板９の側面に沿って配設される２つの立壁８ａとを有する。図８（ｂ）に示す形態におけるカバー８、１４は、それぞれ、第１及び第２実施形態におけるカバーと同様の形状をしている。第２実施形態と異なる点は、カバー８、１４は、第１筐体２と第２筐体１０との組み合わせのように、上側カバー８の立壁８ａの端部と、下側カバー１４の立壁１４ａの端部とを合わせて、組み合わされる。この構成によれば、回路基板が図２に示すような凸部を有していても、組み合わせたカバーに、凸部を嵌合する窓部分を形成することにより、両カバーで凸部の位置を固定することができる。例えば、図８（ｂ）に示す形態においては、下側のカバー１４の凹部１４ｃにより窓が形成される。さらに、カバー８、１４には、組み合わせたカバー８、１４が位置ずれしないように、嵌合させる凸部と凹部（不図示）を形成すると好ましい。また、カバー８、１４は、強度を維持できる範囲において、カバーの板状体や立壁に切り欠き部やくり貫き部（貫通孔）を有していてもよい。
【００２４】
図３及び図６に示す第１実施形態及び第２実施形態に係る構成においては、少なくとも１つのカバーを回路基板のグランドに電気的に接続することにより、筐体外部から侵入する静電気から電子部品等を保護することができる。例えば、回路基板９のグランド面、又はカバー８の板状体８ｄ面もしくは立壁８ａ面に、コイル状ないし板バネタイプの接触部品を実装することにより、カバーと回路基板とを接続することができる。図９に、カバー８と回路基板９とを電気的に接続する接触部品の概略断面図を示す。接触部品１５は、概してコの字上の金属からなる板バネである。接触部品１５は、カバー８と接触する部分を突出させることにより、接触を確実にしている。
【産業上の利用可能性】
【００２５】
本発明の携帯端末機器に係るカバーの形態は、上記実施形態に限定されることなく、本発明の範囲に含まれるものであれば、さらなる変形及び改良を含むことができる。
【００２６】
上記説明においては、折り畳み式の携帯端末機器のキー側（下部側）の構造を例にして本発明を説明した。しかしながら、本発明は、下部側の構造に限定されることなく、ディスプレイ側（上部側）の構造や折り畳み式以外の携帯端末機器にも適用することができる。さらに、本発明は、携帯電話機、ＰＨＳ、ＰＤＡに限定されることなく、回路基板とカバーを備える携帯端末機器に適用することができる。
【図面の簡単な説明】
【００２７】
【図１】携帯端末機器の一実施形態の斜視図。
【図２】本発明の携帯端末機器の一実施形態の分解斜視図。
【図３】本発明の第１実施形態に係る概略断面図（図１のＡ−Ａ断面図）。
【図４】本発明の第１実施形態に係るカバーの斜視図。
【図５】図３に示す概略断面図の右端部分の拡大図。
【図６】本発明の第２実施形態に係る概略断面図（図１のＡ−Ａ断面図）。
【図７】図６に示す概略断面図の右端部分の拡大図。
【図８】本発明の携帯端末機器に係るカバーの別の実施形態を示す斜視図。
【図９】カバーと回路基板とを接続する接触部品の一実施形態を示す概略断面図。
【図１０】従来の携帯端末機器の概略断面図（図１のＡ−Ａ断面図）。
【図１１】図１０に示す概略断面図の右端部分の拡大図。
【符号の説明】
【００２８】
１         携帯端末機器
２         第１筐体
２ａ       立壁
３         キー
４         キー台座
５         メタルドーム
６         粘着剤付シート
７         フレキシブル基板
８         カバー
８ａ       立壁
８ｂ       端部
８ｃ       凹部
８ｄ       板状体
８ｅ       立壁
９         回路基板
９ａ       凸部
１０       第２筐体
１０ａ     立壁
１１       電池
１２       電池カバー
１３       電子部品
１４       カバー
１４ａ     立壁
１４ｃ     凹部
１４ｅ     立壁
１５       接触部品
２１       携帯端末機器
２２       第１筐体
２２ａ     立壁
２３       キー
２４       キー台座
２５       メタルドーム
２６       粘着剤付シート
２７       フレキシブル基板
２８       カバー
２８ａ     立壁
２９       回路基板
３０       第２筐体
３０ａ     立壁
３１       電池
３２       電池カバー
３３       電子部品
【図１】
2007199930.tif 000003
【図２】
2007199930.tif 000004
【図３】
2007199930.tif 000005
【図４】
2007199930.tif 000006
【図５】
2007199930.tif 000007
【図６】
2007199930.tif 000008
【図７】
2007199930.tif 000009
【図８】
2007199930.tif 000010
【図９】
2007199930.tif 000011
【図１０】
2007199930.tif 000012
【図１１】
2007199930.tif 000013